(57)【要約】【課題】メモリが内蔵される電子部品のサイズを大きくすることなく、一定以上のデータ量を有するデータを格納することすることが可能な表示装置を提供する。【解決手段】このＬＣＤユニット（表示装置）１は、表示パネル２０を構成するガラス基板２２と、ガラス基板２２の表面に取り付けられる駆動ＩＣ２５と、駆動ＩＣ２５に内蔵され、紫外線を照射することにより格納されたデータの消去が可能なＥＰＲＯＭ２５ｇと、ガラス基板２２の駆動ＩＣ２５が取り付けられる表面上に配置され、ＥＰＲＯＭ２５ｇに入射する光を遮光する遮光部材５０とを備える。【選択図】図１
2006154317.tif 000002
【特許請求の範囲】
【請求項１】
表示パネルと、
前記表示パネルの表面に取り付けられる電子部品と、
前記電子部品に内蔵され、光を照射することにより格納されたデータの消去が可能なメモリと、
前記表示パネルの前記電子部品が取り付けられる表面上に配置され、前記メモリに入射する光を遮光する第１遮光部材とを備えた、表示装置。
【請求項２】
前記メモリには、格納されたデータを消去する際に光を照射するための開口部が設けられており、
前記第１遮光部材は、少なくとも前記開口部を覆うように設けられている、請求項１に記載の表示装置。
【請求項３】
前記第１遮光部材は、前記開口部のみならず前記メモリの全体を覆うように設けられている、請求項２に記載の表示装置。
【請求項４】
前記メモリの開口部は、前記電子部品の下面側に設けられており、
前記第１遮光部材は、前記電子部品の下面と前記表示パネルの表面との間に配置されている、請求項２または３に記載の表示装置。
【請求項５】
前記第１遮光部材は、金属層からなる、請求項１〜４のいずれか１項に記載の表示装置。
【請求項６】
前記表示パネルの前記電子部品が取り付けられる表面上には、配線パターンが配置されており、
前記第１遮光部材は、前記配線パターンを構成する層の少なくとも一部と同じ層により形成されている、請求項１〜５のいずれか１項に記載の表示装置。
【請求項７】
前記表示パネルの前記電子部品が接続される位置には、前記配線パターンにより構成される端子部が設けられており、
前記第１遮光部材は、前記配線パターンの端子部から所定の間隔を隔てた位置に形成されている、請求項６に記載の表示装置。
【請求項８】
前記メモリは、紫外線を照射することにより格納されたデータの消去が可能なＥＰＲＯＭを含む、請求項１〜７のいずれか１項に記載の表示装置。
【請求項９】
前記表示パネルの裏面側に配置されるバックライト用光源をさらに備え、
前記表示パネルの裏面には、前記バックライト用光源からの光漏れを抑制するための第２遮光部材が配置されており、
前記メモリは、前記第１遮光部材のみならず前記第２遮光部材によっても遮光される、請求項１〜８のいずれか１項に記載の表示装置。
【請求項１０】
前記電子部品の上面は、鏡面加工されている、請求項１〜９のいずれか１項に記載の表示装置。
【発明の詳細な説明】
【技術分野】
【０００１】
この発明は、表示装置に関し、特に、表示パネルに取り付けられる電子部品を備えた表示装置に関する。
【背景技術】
【０００２】
従来、表示パネルのガラス基板上にフレキシブルプリント配線板（ＦＰＣ）が取り付けられた表示装置が知られている（たとえば、特許文献１）。上記特許文献１には、液晶パネルのガラス基板上に取り付けられた電源ＩＣ（電子部品）に内蔵された不揮発性メモリ（ＲＯＭ）に、表示パネルの補正値などのデータを書き込むことによって、表示画像のばらつきを補正することが可能な液晶表示装置が開示されている。
【０００３】
図９は、従来の一例による表示パネルに駆動ＩＣが取り付けられた液晶表示装置（ＬＣＤ（Ｌｉｑｕｉｄ  Ｃｒｙｓｔａｌ  Ｄｉｓｐｌａｙ）ユニット）を示した概略図である。図１０は、図９に示した従来のＬＣＤユニットの駆動ＩＣに含まれるＥＥＰＲＯＭのメモリセルアレイを示した回路図であり、図１１は、図９に示した従来のＬＣＤユニットの断面図である。図９〜図１１を参照して、従来のＬＣＤユニット１００について説明する。
【０００４】
従来のＬＣＤユニット（表示装置）１００は、図９に示すように、バックライトユニット１１０と、表示パネル１２０とを備えている。この表示パネル１２０は、文字や画像などが映し出される表示領域１３０を含んでいる。また、図１１に示すように、バックライトユニット１１０の下側には、金属製のフレーム１４０が配置されている。
【０００５】
また、バックライトユニット１１０は、フレーム１４０の上側に配置される反射シート１１１と、反射シート１１１の上側に配置される樹脂製フレーム１１２と、光源としてのＬＥＤ１１３と、ＬＥＤ１１３からの光を表示パネル１２０全体に導くための導光板１１４と、導光板１１４からの光を上側に透過するとともに集光する２枚のレンズシート１１５と、レンズシート１１５からの光を上側に透過するとともに拡散する拡散シート１１６とを含んでいる。また、導光板１１４の上面には、図示しない両面テープによりバックライト用フレキシブルプリント配線板（バックライト用ＦＰＣ）１１７が取り付けられている。また、バックライト用ＦＰＣ１１７には、導光板１１４に光を照射するＬＥＤ１１３が取り付けられている。また、拡散シート１１６の上側には、表示領域１３０（図９参照）の外側の所定の領域を囲むように接着層１１８が接着されている。
【０００６】
また、図１１に示すように、バックライトユニット１１０の上側には、表示パネル１２０が配置されている。この表示パネル１２０は、接着層１１８の上側に配置される下側偏光板１２１と、液晶を挟み込むように対向配置された下側のガラス基板１２２および上側のガラス基板１２３と、上側のガラス基板１２３の上側に配置される上側偏光板１２４とを含んでいる。なお、下側のガラス基板１２２には、薄膜トランジスタ（図示せず）が形成されている。また、下側のガラス基板１２２には、上側のガラス基板１２３から外側方向に突出した突出部１２２ａが形成されている。
【０００７】
また、下側のガラス基板１２２の突出部１２２ａの表面には、表示パネル１２０を駆動するための駆動ＩＣ（Ｉｎｔｅｇｒａｔｅｄ  Ｃｉｒｃｕｉｔ）１２５が、異方導電性フィルム（ＡＣＦ）１２６を介して取り付けられている。この異方導電性フィルム１２６には、絶縁性の樹脂材料の内部に導電性の導電ボールが均一に配置されている。このため、駆動ＩＣ１２５の端子１２５ａと、下側のガラス基板１２２の表面に設けられた端子部１２７とで異方導電性フィルム１２６を挟み込むことによって、異方導電性フィルム１２６の挟み込まれた部分の導電ボールが連結するように配列されるので、駆動ＩＣ１２５の端子１２５ａと端子部１２７とが電気的に接続される。また、下側のガラス基板１２２の突出部１２２ａの表面には、端子部１２７と電気的に接続されたパネル用フレキシブルプリント配線板（パネル用ＦＰＣ）１２８が取り付けられている。また、下側のガラス基板１２２の突出部１２２ａの裏面には、遮光テープ１２９が貼り付けられている。この遮光テープ１２９は、ＬＥＤ１１３からの光が駆動ＩＣ１２５に入射するのを抑制する機能を有する。
【０００８】
また、図９に示すように、駆動ＩＣ１２５の内部には、信号供給線（ドレイン線）を駆動するなどの機能を有するドライバ１２５ｂと、デジタルビデオ信号をアナログビデオ信号に変換するためのＤＡＣ（Ｄｉｇｉｔａｌ  Ａｎａｌｏｇ  Ｃｏｎｖｅｒｔｅｒ）１２５ｃと、入力されたビデオ信号の電位を表示パネル１２０に用いられる電位に変換するためのレベルシフタ（Ｌ／Ｓ）１２５ｄと、表示パネル１２０で用いる電源を生成するための電源発生回路１２５ｅと、信号発生回路１２５ｆと、電気的に格納されたデータの消去および書き込みが可能なＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１２５ｇとが内蔵されている。このＥＥＰＲＯＭ１２５ｇには、表示パネル１２０の特性ばらつきに起因して生じる表示画像のばらつきを補正するための補正値や複数の機種に共通に用いられる駆動ＩＣ１２５を機種ごとに設定するための設定値などが格納されている。また、ＥＥＰＲＯＭ１２５ｇでは、図１０に示すように、フローティングゲートを有する記憶用トランジスタ１２５ｈと、選択用トランジスタ１２５ｉとの２つのトランジスタにより１つのメモリセル１２５ｊが構成されている。
【０００９】
【特許文献１】特開２００２−２８７７０３号公報
【発明の開示】
【発明が解決しようとする課題】
【００１０】
図９〜図１１に示した従来のＬＣＤユニット１００の表示パネル１２０に取り付けられる駆動ＩＣ１２５に内蔵されるＥＥＰＲＯＭ１２５ｇでは、１つのメモリセル１２５ｊが、記憶用トランジスタ１２５ｈおよび選択用トランジスタ１２５ｉの２つのトランジスタから構成されているので、高集積化が困難である。このため、ＥＥＰＲＯＭ１２５ｇに格納するデータ量が多い場合には、ＥＥＰＲＯＭ１２５ｇのサイズが大きくなるので、ＥＥＰＲＯＭ１２５ｇが内蔵される駆動ＩＣ１２５のサイズも大きくなるという不都合があった。その結果、表示パネル１２０のガラス基板１２２の突出部１２２ａに駆動ＩＣ１２５を取り付けるのが困難になるという問題点があった。
【００１１】
この発明は、上記のような課題を解決するためになされたものであり、この発明の１つの目的は、メモリが内蔵される電子部品（駆動ＩＣ）のサイズを大きくすることなく、一定以上のデータ量を有するデータを格納することが可能な表示装置を提供することである。
【課題を解決するための手段および発明の効果】
【００１２】
上記目的を達成するために、この発明の一の局面による表示装置は、表示パネルと、表示パネルの表面に取り付けられる電子部品と、電子部品に内蔵され、光を照射することにより格納されたデータの消去が可能なメモリと、表示パネルの電子部品が取り付けられる表面上に配置され、メモリに入射する光を遮光する第１遮光部材とを備える。
【００１３】
この一の局面による表示装置では、上記のように、光を照射することにより格納されたデータの消去が可能なメモリを設けることによって、ビット単位毎に消去することが可能なメモリと異なり、メモリに特定のビットを選択する選択用トランジスタを設ける必要がないので、その分、メモリセルの大きさを小さくすることができる。これにより、一定以上のデータ量を有するデータをメモリに格納する場合でも、メモリが大きくなるのを抑制することができる。このため、メモリに一定以上のデータ量のデータを格納したとしても、メモリを内蔵する電子部品が大きくなるのを抑制することができる。その結果、電子部品を設置する部分が制限される場合であっても、電子部品を配置することができる。また、表示パネルの電子部品が取り付けられる表面上に、電子部品に内蔵されるメモリに入射する光を遮光する第１遮光部材を設けることによって、電子部品に近い位置で、電子部品に内蔵されるメモリに入射する光を遮光することができるので、メモリに格納されたデータを確実に保持することができる。
【００１４】
上記一の局面による表示装置において、好ましくは、メモリには、格納されたデータを消去する際に光を照射するための開口部が設けられており、第１遮光部材は、少なくとも開口部を覆うように設けられている。このように構成すれば、メモリの開口部に入射する光を第１遮光部材により遮光することができるので、メモリに格納されたデータを容易に保持することができる。
【００１５】
上記メモリに開口部が設けられた表示装置において、好ましくは、第１遮光部材は、開口部のみならずメモリの全体を覆うように設けられている。このように構成すれば、メモリの開口部に向かって斜め方向から入射する光も遮光することができるので、より確実にメモリに入射される光を遮光することができる。
【００１６】
上記メモリに開口部が設けられた表示装置において、好ましくは、メモリの開口部は、電子部品の下面側に設けられており、第１遮光部材は、電子部品の下面と表示パネルの表面との間に配置されている。このように構成すれば、表示パネルに入射した光が、表示パネル内を屈折しながら電子部品の方向に進行する場合にも、メモリの開口部と表示パネルとの間に配置された第１遮光部材により容易にその光を遮光することができる。
【００１７】
上記一の局面による表示装置において、好ましくは、第１遮光部材は、金属層からなる。このように構成すれば、メモリに入射する光を金属製の第１遮光部材により反射することができる。
【００１８】
上記一の局面による表示装置において、好ましくは、表示パネルの電子部品が取り付けられる表面上には、配線パターンが配置されており、第１遮光部材は、配線パターンを構成する層の少なくとも一部と同じ層により形成されている。このように構成すれば、配線パターンを形成する際に、第１遮光部材を形成する部分にマスクをすることにより、容易に、第１遮光部材を形成することができるので、第１遮光部材を別途形成する場合に比べて、製造プロセスを簡略化することができる。
【００１９】
この場合、好ましくは、表示パネルの電子部品が接続される位置には、配線パターンにより構成される端子部が設けられており、第１遮光部材は、配線パターンの端子部から所定の間隔を隔てた位置に形成されている。このように構成すれば、第１遮光部材と配線パターンの端子部とが電気的に接続されてないので、配線パターンを構成する層の少なくとも一部と同じ層により形成される第１遮光部材に電流が流れるのを防止することができる。これにより、第１遮光部材に電流が流れることにより電力が消費されるのを防止することができる。
【００２０】
上記一の局面による表示装置において、好ましくは、メモリは、紫外線を照射することにより格納されたデータの消去が可能なＥＰＲＯＭを含む。このように構成すれば、ＥＥＰＲＯＭは、１つのトランジスタにより１つのメモリセルが構成されるので、２つのトランジスタにより１つのメモリセルが構成されるＥＥＰＲＯＭなどのメモリに比べて、メモリセルサイズを小さくすることができる。これにより、メモリを大きくすることなく、一定以上のデータ量を有するデータをＥＰＲＯＭに格納することができる。また、ＥＰＲＯＭを表示パネルの表面に配置したとしても、第１遮光部材により、紫外線を遮光することができるので、ＥＰＲＯＭに格納されたデータを確実に保持することができる。
【００２１】
上記一の局面による表示装置において、好ましくは、表示パネルの裏面側に配置されるバックライト用光源をさらに備え、表示パネルの裏面には、バックライト用光源からの光漏れを抑制するための第２遮光部材が配置されており、メモリは、第１遮光部材のみならず第２遮光部材によっても遮光される。このように構成すれば、バックライト用光源からの光がメモリに入射しようとする場合にも、第１遮光部材および第２遮光部材の両方により、メモリに入射する光を遮光することができるので、より確実にメモリへの光の入射を防止することができる。
【００２２】
上記一の局面による表示装置において、好ましくは、電子部品の上面は、鏡面加工されている。このように構成すれば、電子部品の上面に照射された光を、鏡面加工された電子部品の上面により反射することができるので、電子部品の上面から光が電子部品の内部のメモリに入射するのを防止することができる。
【発明を実施するための最良の形態】
【００２３】
以下、本発明の実施形態を図面に基づいて説明する。
【００２４】
図１は、本発明の一実施形態によるＬＣＤユニット（表示装置）の表示パネルに駆動ＩＣが取り付けられた状態を示したブロック図である。図２〜図８は、本発明の一実施形態によるＬＣＤユニットの詳細構成を説明するための図である。図１〜図８を参照して、本発明の一実施形態によるＬＣＤユニット１の構造について説明する。なお、本実施形態では、本発明の表示装置の一例としてのＬＣＤユニット１について説明する。
【００２５】
本発明の一実施形態によるＬＣＤユニット１は、図１に示すように、バックライトユニット１０と、表示パネル２０とを備えている。この表示パネル２０は、文字や画像などが映し出される表示領域３０を含んでいる。また、バックライトユニット１０の下側には、図３および図４に示すように、金属製のフレーム４０が配置されている。
【００２６】
また、図４に示すように、バックライトユニット１０は、フレーム４０の上側に配置される反射シート１１と、反射シート１１の上側に配置される樹脂製フレーム１２と、光源としてのＬＥＤ１３と、ＬＥＤ１３からの光を表示パネル２０全体に導くための導光板１４と、導光板１４からの光を上側に透過するとともに集光する２枚のレンズシート１５と、レンズシート１５からの光を上側に透過するとともに拡散する拡散シート１６とを含んでいる。なお、ＬＥＤ１３は、本発明の「バックライト用光源」の一例である。また、導光板１４の上面には、図示しない両面テープによりバックライト用フレキシブルプリント配線板（バックライト用ＦＰＣ）１７が取り付けられている。また、バックライト用ＦＰＣ１７には、導光板１４に光を照射するＬＥＤ１３が取り付けられている。また、拡散シート１６の上面には、表示領域３０（図１参照）の外側の所定の領域を囲むように接着層１８が接着されている。
【００２７】
また、バックライトユニット１０の上側には、表示パネル２０が配置されている。この表示パネル２０は、接着層１８の上側に配置される下側偏光板２１と、液晶を挟み込むように対向配置された下側のガラス基板２２および上側のガラス基板２３と、上側のガラス基板２３の上側に配置される上側偏光板２４とを含んでいる。なお、下側のガラス基板２２には、薄膜トランジスタ（図示せず）が形成されている。また、下側のガラス基板２２には、上側のガラス基板２３から外側方向に突出した突出部２２ａが形成されている。また、下側のガラス基板２２の突出部２２ａの表面には、図５および図７に示すように、表示パネル２０を駆動するための駆動ＩＣ２５が異方導電性フィルム（ＡＣＦ）２６を介して取り付けられている。この異方導電性フィルム２６には、絶縁性の樹脂材料の内部に導電性の導電ボールが均一に配置されている。このため、駆動ＩＣ２５の端子２５ａと、下側のガラス基板２２の表面に設けられた後述する配線パターン２７の端子部２７ａとで異方導電性フィルム２６を挟み込むことによって、異方導電性フィルム２６の挟み込まれた部分の導電ボールが連結するように配列されるので、駆動ＩＣ２５の端子２５ａと端子部２７ａとが電気的に接続される。
【００２８】
また、図１に示すように、駆動ＩＣ２５の内部には、信号供給線（ドレイン線）を駆動するなどの機能を有するドライバ２５ｂと、デジタルビデオ信号をアナログビデオ信号に変換するＤＡＣ２５ｃと、入力されたビデオ信号の電位を表示パネル２０に用いられる電位に変換するレベルシフタ（Ｌ／Ｓ）２５ｄと、表示パネル２０で用いる電源を生成するための電源発生回路２５ｅと、信号発生回路２５ｆと、紫外線を照射することにより格納されたデータの消去が可能なＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）２５ｇとが内蔵されている。なお、ＥＰＲＯＭ２５ｇは、本発明の「メモリ」の一例である。
【００２９】
また、図５に示すように、駆動ＩＣ２５の上面は、鏡面加工されているので、図５の矢印Ａ方向に進行する駆動ＩＣ２５の上面に照射された光（紫外線）を、鏡面加工された駆動ＩＣ２５の上面により反射することが可能となるので、駆動ＩＣ２５の上面から光が駆動ＩＣ２５の内部のＥＰＲＯＭ２５ｇに入射するのを防止することが可能となる。
【００３０】
また、図５、図７および図８に示すように、ＥＰＲＯＭ２５ｇの下面側には、格納されたデータを消去する際に紫外線を照射するための開口部２５ｈが設けられている。また、ＥＰＲＯＭ２５ｇには、表示パネル２０の特性ばらつきに起因して生じる表示画像のばらつきを補正するための補正値や複数の機種に共通に用いられる駆動ＩＣ２５を機種ごとに設定するための設定値などが格納されている。また、ＥＰＲＯＭ２５ｇでは、図２に示すように、フローティングゲートを有する１つの記憶用トランジスタ２５ｈにより１つのメモリセル２５ｉが構成されている。これにより、ＥＰＲＯＭ２５ｇは、図１０に示した従来の２つのトランジスタ１２５ｈおよび１２５ｉから１つのメモリセル１２５ｊが構成されるＥＥＰＲＯＭ１２５ｇに比べて、単位面積あたり約２倍の数のメモリセル２５ｉを有する。
【００３１】
また、図６および図７に示すように、ガラス基板２２の表面上には、アルミやクロムなどの複数の金属層からなる配線パターン２７が形成されている。この配線パターン２７は、駆動ＩＣ２５と電気的に接続されている。
【００３２】
ここで、本実施形態では、ガラス基板２２の突出部２２ａの駆動ＩＣ２５が取り付けられる表面上には、図５、図７および図８に示すように、駆動ＩＣ２５のＥＰＲＯＭ２５ｇに入射する光を遮光する遮光部材５０が設けられている。なお、遮光部材５０は、本発明の「第１遮光部材」の一例である。この遮光部材５０は、配線パターン２７を構成するアルミの層と同じ層により形成されている。また、遮光部材５０は、ＥＰＲＯＭ２５ｇの下面とガラス基板２２の突出部２２ａとの間に配置されるとともに、ＥＰＲＯＭ２５ｇの開口部２５ｈのみならずＥＰＲＯＭ２５ｇの全体を覆うように配置されている。
【００３３】
また、本実施形態では、遮光部材５０は、配線パターン２７の端子部２７ａから所定の間隔を隔てた位置に形成されている。これにより、遮光部材５０と配線パターン２７の端子部２７ａとが電気的に接続されてないので、配線パターン２７を構成するアルミの層と同じ層により形成される遮光部材５０に電流が流れるのを防止することができる。これにより、遮光部材５０に電流が流れることにより電力が消費されるのを防止することが可能となる。
【００３４】
また、下側のガラス基板２２の突出部２２ａの表面には、駆動ＩＣ２５と電気的に接続されたパネル用フレキシブルプリント配線板（パネル用ＦＰＣ）２８が取り付けられている。
【００３５】
また、本実施形態では、下側のガラス基板２２の突出部２２ａの裏面には、遮光テープ２９が貼り付けられている。なお、遮光テープ２９は、本発明の「第２遮光部材」の一例である。この遮光テープ２９は、ＬＥＤ１３からの光が駆動ＩＣ２５に入射するのを抑制する機能を有する。これにより、ＬＥＤ１３からの光が駆動ＩＣ２５のＥＰＲＯＭ２５ｇの開口部２５ｈに入射しようとする場合にも、遮光部材５０および遮光テープ２９により、ＥＰＲＯＭ２５ｇの開口部２５ｈに入射する光を容易に遮光することが可能となるので、より確実にＥＰＲＯＭ２５ｇの開口部２５ｈへの光の入射を防止することが可能になる。
【００３６】
本実施形態では、上記のように、紫外線を照射することにより格納されたデータの消去が可能なＥＰＲＯＭ２５ｇを設けることによって、ビット単位ごとに消去することが可能な従来のＥＥＰＲＯＭ１２５ｇ（図１０参照）などと異なり、ＥＰＲＯＭ２５ｇに特定のビットを選択する選択用トランジスタ１２５ｉ（図１０参照）を設ける必要がないので、従来のＥＥＰＲＯＭ１２５ｇのメモリセル１２５ｊ（図１０参照）に比べて、メモリセル２５ｉの大きさを小さくすることができる。これにより、一定以上のデータ量を有するデータをＥＰＲＯＭ２５ｇに格納する場合でも、ＥＰＲＯＭ２５ｇが大きくなるのを抑制することができる。このため、ＥＰＲＯＭ２５ｇに一定以上のデータ量を格納したとしても、ＥＰＲＯＭ２５ｇを内蔵する駆動ＩＣ２５が大きくなるのを抑制することができる。その結果、駆動ＩＣ２５ｇを設置するガラス基板２２の突出部２２ａの設置部分が制限される場合であっても、駆動ＩＣ２５を配置することができる。
【００３７】
また、本実施形態では、ガラス基板２２の突出部２２ａの駆動ＩＣ２５が取り付けられる表面上に、駆動ＩＣ２５に内蔵されるＥＰＲＯＭ２５ｇに入射する光を遮光する遮光部材５０を設けることによって、駆動ＩＣ２５に近い位置で、駆動ＩＣ２５に内蔵されるＥＰＲＯＭ２５ｇに入射する光を遮光することができるので、ＥＰＲＯＭ２５ｇに格納されたデータを確実に保持することができる。
【００３８】
また、本実施形態では、遮光部材５０を、ＥＰＲＯＭ２５ｇの開口部２５ｈのみならずＥＰＲＯＭ２５ｇの全体を覆うように設けることによって、ＥＰＲＯＭ２５ｇの開口部２５ｈに向かって斜め方向から入射する光も遮光することができるので、より確実にＥＰＲＯＭ２５ｇに入射される光を遮光することができる。
【００３９】
また、本実施形態では、ＥＰＲＯＭ２５ｇの開口部２５ｈを、駆動ＩＣ２５の下面側に設けるとともに、遮光部材５０を、駆動ＩＣ２５の下面とガラス基板２２の表面との間に配置することによって、表示領域３０から表示パネル２０のガラス基板２２に入射した光が、ガラス基板２２内を屈折しながら駆動ＩＣ２５に向かって図５および図７の矢印Ｂ方向に進行する場合にも、ＥＰＲＯＭ２５ｇの開口部２５ｈとガラス基板２２との間に配置された遮光部材５０により容易にその光を遮光することができる。
【００４０】
また、本実施形態では、遮光部材５０を、配線パターン２７を構成するアルミの層と同じ層により形成することによって、配線パターン２７を形成する際に、遮光部材５０を形成する部分にマスクをすることにより、容易に、遮光部材５０を形成することができるので、遮光部材５０を別途形成する場合に比べて、製造プロセスを簡略化することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、本発明を、表示装置の一例としてのＬＣＤユニットに適用した例を示したが、本発明はこれに限らず、表示パネルを備えた表示装置であれば、有機ＥＬなどの他の表示装置に適用してもよい。
【００４３】
また、上記実施形態では、遮光部材を配線パターンを構成する層と同じ層により構成する例を示したが、本発明はこれに限らず、配線パターンを構成する層以外の層からなる遮光部材を別途設けてもよい。
【００４４】
また、上記実施形態では、配線パターンの端子部と、遮光部材とを所定の間隔を隔てて配置する例を示したが、本発明はこれに限らず、配線パターンの端子部と、遮光部材とを連結するように形成してもよい。
【００４５】
また、上記実施形態では、遮光部材をＥＰＲＯＭの開口部のみならずＥＰＲＯＭの全体を覆うように形成する例を示したが、本発明はこれに限らず、ＥＰＲＯＭの開口部のみを覆うように形成してもよい。この場合、ＥＰＲＯＭの開口部に向かって斜め方向から入射する光を防止するために、遮光部材を開口部より大きく形成することが好ましい。
【図面の簡単な説明】
【００４６】
【図１】本発明の一実施形態によるＬＣＤユニットの表示パネルに駆動ＩＣが取り付けられた状態を示したブロック図である。
【図２】図１に示した本発明の一実施形態によるＬＣＤユニットのＥＰＲＯＭのメモリセルアレイを示した回路図である。
【図３】図１に示した本発明の一実施形態によるＬＣＤユニットの全体構成を示した斜視図である。
【図４】図３の２００−２００線に沿った断面図である。
【図５】図１に示した本発明の一実施形態によるＬＣＤユニットの部分拡大図である。
【図６】図１に示した本発明の一実施形態によるＬＣＤユニットの表示パネルの平面図である。
【図７】図６の３００−３００線に沿った断面図である。
【図８】図１に示した本発明の一実施形態によるＬＣＤユニットの表示パネルの拡大図である。
【図９】従来の一例によるＬＣＤユニットの表示パネルに駆動ＩＣが取り付けられた状態を示したブロック図である。
【図１０】図９に示した従来のＬＣＤユニットのＥＥＰＲＯＭのメモリセルアレイを示した回路図である。
【図１１】図９に示した従来のＬＣＤユニットの断面図である。
【符号の説明】
【００４７】
１  ＬＣＤユニット（表示装置）
１３  ＬＥＤ（バックライト用光源）
２０  表示パネル
２５  駆動ＩＣ（電子部品）
２５ａ  端子
２５ｇ  ＥＰＲＯＭ（メモリ）
２５ｈ  開口部
２７  配線パターン
２７ａ  端子部
２９  遮光テープ（第２遮光部材）
５０  遮光部材（第１遮光部材）
【図１】
2006154317.tif 000003
【図２】
2006154317.tif 000004
【図３】
2006154317.tif 000005
【図４】
2006154317.tif 000006
【図５】
2006154317.tif 000007
【図６】
2006154317.tif 000008
【図７】
2006154317.tif 000009
【図８】
2006154317.tif 000010
【図９】
2006154317.tif 000011
【図１０】
2006154317.tif 000012
【図１１】
2006154317.tif 000013